(57)【要約】  本発明は、少なくとも一つの携帯電話（２）上に画像（３）を送信し表示するとともに携帯電話（２）による個別画像（３）の表示頻度を決定する方法であって、画像（３）がセルラーネットワークを介して携帯電話（２）とデータ通信を行うサーバ（１）によって提供され、所定の未使用（２３）時間の後、または、ユーザコマンド（２３）の入力を介して、携帯電話（２）は非起動モード（３０）に切り替えられ、起動操作（２１）が実行されると、携帯電話（２）は非起動モード（３０）から施錠起動モード（３１）へ切り替えられ、解錠操作（２２）が実行されると、携帯電話（２）は、施錠起動モード（３１）から解錠起動モード（３２）へ切り替えられ、携帯電話（２）は解錠起動モードでのみユーザ入力を受信し、サーバ（１）がいくつかの画像（３）を選択し、画像（３）を携帯電話（２）へ送信し、サーバ（１）から携帯電話（２）へ送信された画像（３）の一つが選択され、携帯電話（２）の施錠起動モード（３１）時にはディスプレイするために使用可能に保たれ、サーバ（１）から携帯電話（２）へ送信された画像（３）毎に、各画像（３）が携帯電話（２）上に表示された回数を示すカウント値が設定され、画像（３）毎の各カウント値が携帯電話（２）からサーバ（１）へ送信される方法を提供する。【選択図】図１
2015515163.tif 000002
【特許請求の範囲】
【請求項１】
少なくとも一つの携帯電話（２）へ画像（３）を送信し表示するとともに前記携帯電話（２）による個々の画像（３）表示の頻度を決定する方法であって、
前記画像（３）が、セルラーネットワークを介して、前記携帯電話（２）とデータ通信を行うサーバ（１）によって、提供され、
所定の未使用（２３）時間を経た後、または、ユーザコマンド（２３）の入力を介して、前記携帯電話（２）が非起動モードに（３０）を切り替えられ、
前記非起動モード（３０）から起動操作（２１）が実行されたとき、前記携帯電話（２）が施錠起動モード（３１）に切り替えられ、
前記施錠起動モード（３１）から解錠操作（２２）が実行されたとき、前記携帯電話（２）が解錠起動モード（３２）へ切り替えられ、前記携帯電話（２）が解錠起動モード（３２）に限ってユーザ入力を受信することにて、
前記サーバ（１）がいくつかの画像（３）を選択し前記画像（３）を前記携帯電話（２）へ送信し、
前記サーバ（１）によって前記携帯電話（２）へ送信された前記画像（３）の一つが選択され、ディスプレイするために使用可能に保たれ、
前記携帯電話（２）の前記施錠起動モード（３１）の間、前記選択された画像（３）が前記携帯電話（２）によってディスプレイされ、
前記サーバ（１）によって前記携帯電話（２）へ送信された前記画像（３）毎に、前記各画像（３）が前記携帯電話（２）に何回表示されたかを示すカウント値が決定され、
前記画像（３）毎の各前記カウント値が前記携帯電話（２）によって前記サーバ（１）へ送信される、
方法。
【請求項２】
前記サーバ（１）が、前記画像（３）毎に、前記携帯電話（２）によって前記サーバ（１）に対して設定されたカウント値の合計に対応している個別の総カウント値を各々、決定する請求項１に記載の方法。
【請求項３】
前記サーバ（１）から各前記携帯電話（２）へ前記画像（３）を送信する際、前記画像（３）毎に、前記個々の画像（３）の最大ディスプレイ頻度を指定する最大カウンタ値が送信され、前記画像（３）が前記画像（３）に対する前記各最大カウント値によって定義された頻度と同じ頻度でディスプレイされた場合、前記各画像（３）のディスプレイが省略され、別の画像（３）が表示するために選択される請求項１または２に記載の方法。
【請求項４】
前記携帯電話（２）の場所が前記携帯電話（２）自体によって、具体的には、ＧＰＳ機能によって、決定され、この場所に応じて、画像（３）が前記携帯電話へ送信され、画像が適当であれば、前記携帯電話に既に格納されていた画像が削除される、請求項１〜４のいずれか１に記載の方法。
【請求項５】
前記携帯電話（２）の場所が前記携帯電話（２）自体によって、具体的には、ＧＰＳ機能によって、決定され、前記個々の画像（３）が場所情報を有しており、前記携帯電話（２）へ送信されることにて、
前記携帯電話（２）に格納された前記画像（３）から、選択された画像（３）が、前記携帯電話（２）の設定された場所に最も近い関連する場所情報を有する画像であり、
または、
前記画像（３）の表示が、前記画像（３）は、前記関連場所情報が前記携帯電話（２）の前記設定した場所に近いほど選択される可能性が高いことを前提としたランダムな基準に基づいて、実行され、
または、
前記画像（３）毎に、前記ＧＰＳ座標系の２次元の幾何学的表面エリアの形態の場所情報（１１）の１ピースを表示し、前記携帯電話（２）が前記表面エリア内に位置している場合、画像（３）が選択されおよび／またはディスプレイされる、請求項１〜４のいずれか１に記載の方法。
【請求項６】
前記選択された画像（３）は、施錠起動モード（３１）においてディスプレイされ、前記解錠操作（２２）が実行されたとき、または、前記解錠操作（２２）後の所定の時間間隔で位置付けられた時点では非表示となる、請求項１〜５のいずれか１に記載の方法。
【請求項７】
前記携帯電話（２）は少なくとも一つのディスプレイ（４）を有することにて、前記選択された画像（３）が前記ディスプレイ（４）または前記ディスプレイ（４）の少なくとも一つに表示される、請求項１〜６のいずれか１に記載の方法。
【請求項８】
画像（３）は、画像が所定の最低時間間隔、具体的に、１秒以上にわたってディスプレイされた場合のみに限って表示済みとみなされる、請求項１〜７のいずれか１に記載の方法。
【請求項９】
前記画像（３）はその最新の表示から最小の時間間隔、具体的には、１０分間を経過した場合のみに限って選択され表示されたかまたは表示済みとしてみなされる、請求項１〜８のいずれか１に記載の方法。
【請求項１０】
前記施錠起動モードでユーザアクティビティの回数が設定され、各々ディスプレイされている画像（３）に対応付けられ、前記サーバ（１）へ送信されることにて、前記サーバ（１）は、画像（３）がディスプレイされている間に実行されたユーザアクティビティの総回数を具体的に設定し、前記設定された総回数を各画像（３）に個別に提供する、請求項１〜９のいずれか１に記載の方法。
【請求項１１】
前記施錠起動モード（３１）の時間間隔が設定され、各々ディスプレイされた画像（３）に対応付けられ、前記サーバ（１）へ送信されることにて、前記サーバ（１）が画像（３）のディスプレイの総時間間隔を設定し、具体的には、前記時間間隔を各前記画像（３）に個別に提供する、請求項１〜１０のいずれか１に記載の方法。
【請求項１２】
前記携帯電話（２）の連続解錠操作（２２）間または連続起動操作（２１）間の時間間隔が設定され、前記時間間隔が前記サーバ（１）へ送信され、前記サーバ（１）が二つの連続解錠操作（２２）間または二つの連続起動操作（２１）間の各々の平均時間を提供する、請求項１〜１１のいずれか１に記載の方法。
【請求項１３】
前記携帯電話（２）の前記解錠起動モード（３２）時の前記解錠操作の後に選択される画像（３）は、次の施錠起動モード（３１）時に表示される画像である、請求項１〜１２のいずれか１に記載の方法。
【請求項１４】
前記画像（３）毎に、前記携帯電話（２）と前記サーバ（１）の両方において、カウンタ（５）とカウンタ全体（６）が各々、提供されることにて、各前記画像（３）に対応付けられた前記カウンタ（５）は、前記画像（３）が表示されたときに１つ増分され、前記カウンタ（５）の値が前記携帯電話（２）から前記サーバ（１）へカウンタ値として送信され、前記カウンタ全体（６）が前記携帯電話（２）から前記サーバ（１）までの前記各画像（３）に対して送信されたカウンタ値の総値として定義付けられ、使用可能に保たれる、請求項１〜１３のいずれか１に記載の方法。
【請求項１５】
前記携帯電話（２）へ表示した後、各前記選択された画像（３）が削除されるかまたは表示済みとしてタグ付けされ、この状況を示すメッセージが前記携帯電話（２）から前記サーバ（１）へ送信され、前記サーバ（１）が前記画像（３）毎に個別に受信したメッセージの数をカウントし、このように設定された総カウント値を前記画像（３）毎に個別に提供することにて、既に表示済みとしてタグ付けされた画像の任意の以降のディスプレイが省略される、請求項１〜１４のいずれか１に記載の方法。
【請求項１６】
前記ビューワの写真、具体的には、彼または彼女の顔が、カメラで撮影され、前記画像（３）が施錠起動モードでディスプレイされている間、前記ビューワが前記ディスプレイ（４）を目視していた時間間隔が決定される、請求項１〜１５のいずれか１に記載の方法。
【請求項１７】
画像（３）は、前記ビューワが前記ディスプレイ（４）を中断なしで目視した前記設定された時間間隔が所定の最小時間間隔、具体的には、１秒より長い場合のみに限って表示済みとみなされる、請求項１６に記載の方法。
【請求項１８】
前記ユーザが同じ画像（３）を目視している前記時間間隔の全てが加算され、時間周期が合計として設定され、画像（３）は、前記ビューワが前記ディスプレイ（４）を全体で目視した前記設定された時間周期が、多少の中断はあるにせよ、所定の他の最小時間間隔、具体的には、２０〜３０秒より長い場合のみに限って、表示済みとみなされる、請求項１６または１７に記載の方法。
【請求項１９】
前記ビューワが前記画像（２）を目視した各前記設定された時間周期または時間間隔が各前記ディスプレイされた画像（３）に対応付けられ、その画像が適当であれば、前記サーバ（１）に送信されることにて、
前記サーバ（１）の全ての前記ユーザによる画像（３）の総目視時間が前記設定された時間周期または時間間隔の合計として設定され、各々が前記画像（３）に対応付けられ、前記サーバ（３）に送信され、
前記サーバ（１）が各前記総目視時間を画像（３）毎に個別に提供する請求項１５〜１７のいずれか１に記載の方法。
【請求項２０】
前記選択された画像（３）は、前記解錠操作（２２）が実行されたときにある一定のディスプレイ時間にわたってディスプレイされ、このディスプレイ時間を過ぎると再び非表示とされる、請求項１〜１９のいずれか１に記載の方法。
【請求項２１】
請求項１〜２０のいずれか１に記載の方法のいずれかの前記携帯電話（２）で実行される前記方法のステップを実行するためのプログラムが格納されているデータ媒体。
【請求項２２】
請求項１〜２０のいずれか１に記載の方法のいずれかの前記サーバ（１）上で実行される前記方法のステップを実行するためのプログラムが格納されているデータ媒体。
【請求項２３】
請求項１〜２０のいずれか１に記載の方法のいずれかの前記携帯電話（２）上で実行される前記方法のステップを実行するためのプログラム。
【請求項２４】
請求項１〜２０のいずれか１に記載の方法のいずれかの前記サーバ（１）上で実行される前記方法のステップを実行するためのプログラム。
【発明の詳細な説明】
【技術分野】
【０００１】
本発明は特許請求項１に記載のプリアンブルに基づいて少なくとも１台の携帯電話へ画像を送信し表示する方法に関する。
【背景技術】
【０００２】
このような方法は、個々の携帯電話において宣伝広告を送信する分野において商業的に実施されている。
【０００３】
従来技術において知られている画像を送信するシステムにおいて、具体的には、宣伝用画像を送信するシステムにおいて、携帯電話にディスプレイされる際、送信された画像がそれ以外のプログラムフローを中断し、具体的には、その画像があまりにも優先されて表示され、その画像によってユーザの作業が妨害されたり注意力が散漫になったりするという問題が頻出している。即ち、画面の一部を占領した状態で、宣伝用画像や他の画像が画面の横から挿入された場合、このアクションが画面の一部を覆い隠すため、特に顕著に影響される。更に、背景画像の選択や設定次第では、背景画像上で表示されるシンボルが見つけにくく、それ以上見つけることができなくなり、背景画像に表示されるシンボルをプログラムシンボルとして誤って選択してユーザを苛立たせる場合があり、度々不都合を生じるという問題があった。
【発明の概要】
【発明が解決しようとする課題】
【０００４】
本発明の目的は、冒頭に述べた課題を解決するとともに、具体的には、携帯電話のプログラムフローや操作を各画像の表示が妨害しない控えめな方法で、送信された画像をユーザに認識させることである。
【０００５】
更に、本発明の目的は、各ユーザが画像を何回目視したかまたは彼または彼女の携帯電話上で画像が何回表示されたかを把握することである。
【０００６】
本発明の課題は、特許請求項１の特徴を有する冒頭に述べたタイプの方法において解決される。
【課題を解決するための手段】
【０００７】
本発明は、少なくとも一つの携帯電話上に画像を送信し表示するとともに携帯電話による個別画像の表示頻度を決定する方法に関する。本発明によれば、サーバがいくつかの画像を選択しこれらの画像を携帯電話へ送信し、サーバによって携帯電話へ送信された画像の一つを選択して使用可能とし、選択された画像は、携帯電話の施錠起動モード時に、携帯電話によってディスプレイされ、サーバによって携帯電話へ送信された画像毎にカウント値が設定され、カウント値は、各画像が携帯電話上に何回表示されたかを示し、画像毎の各カウント値が携帯電話によってサーバに送信されることを提供する。
【０００８】
この手順は、携帯電話の操作がこのアクションによって影響を受けずに、ユーザに画像のコンテンツを提供することを可能にする。
【０００９】
画像がビュー（目視）された総回数を把握するために、サーバが、携帯電話によってサーバに対して設定されたカウント値の合計に対応している個別の総カウント値を画像毎に決定することを含む。
【００１０】
同じ画像がユーザにディスプレイされるのを回避するために、サーバによって各携帯電話へ画像が送信された際、最大カウンタ値が画像毎に送信され、この値は個々の画像の最大ディスプレイ頻度を指定し、画像が画像に対する各々の最大カウント値によって定義された回数と同じ回数だけディスプレイされた場合、各画像のディスプレイが省略され、異なる画像が選択され表示されることを含む。
【００１１】
彼または彼女の各々の場所に応じてユーザに画像をディスプレイするために、携帯電話の場所が、携帯電話自体によって、具体的には、ＧＰＳ機能によって、決定され、この場所に基づいて画像が携帯電話へ送信され、送信された画像が適当であれば、携帯電話に既に格納されていた画像が削除されることを含む。
【００１２】
上記と同じ目的のために、携帯電話の場所が、携帯電話自体によって、具体的には、ＧＰＳ機能によって、決定され、個々の画像に場所情報が提供され、画像が携帯電話へ送信されることにて、携帯電話に格納された画像のうち、選択された画像は携帯電話の設定された場所に最も近い関連する場所情報を有する画像であり、または、画像選択が関連する場所情報が携帯電話の設定した場所に近い場所で行われる可能性が高いことを前提として画像表示がランダムな基準に沿って実行されることを含む。
【００１３】
携帯電話上のプログラムフローの中断を最小限に抑えるために、選択された画像は施錠起動モードでディスプレイされるが、解錠操作が実行された後に、または所定の時間間隔を置いて解錠操作の後に位置付けられた時、非表示にされることを含む。
【００１４】
いくつかのディスプレイを有する携帯電話において、利用可能なディスプレイ面の改良された利用のために、選択された画像がディスプレイまたはディスプレイの少なくとも一つに表示されることを有利に含む。
【００１５】
各ユーザによって実際に目視された画像の表示のみをカウントするために、画像は、所定の最小時間間隔、具体的には、１秒以上にわたってディスプレイされた場合のみに限って「表示済み」とみなされることを含む。
【００１６】
同様の目的のために、画像は、画像の最新の表示から、最小時間間隔、具体的には、１０分間、経過した場合のみに限って、選択され表示されたか、または、表示済みとみなされることを含む。
【００１７】
各々の画像の目視の強度を評価するために、ユーザアクティビティの回数が施錠起動モードにおいて設定され、各々のディスプレイされた画像に対応付けられ、サーバに送信されることを含み、その際、サーバは、画像がディスプレイされている間に実行されたユーザアクティビティの総回数を決定し、これを、具体的には、画像別に使用可能にする。
【００１８】
これに代えてまたはこれに加えて、同様の目的のために、施錠起動モードの時間間隔が設定され、各々のディスプレイされた画像に対応付けられ、サーバに送信されることを含み、その際、サーバは、画像のディスプレイの総時間間隔を求め、これを、具体的には、画像別に使用可能にする。
【００１９】
ユーザアクティビティのグローバルな把握を可能にするために、携帯電話の連続解錠操作間または連続起動操作間の時間間隔が決定され、これらの時間間隔がサーバへ送信され、かつ、サーバが二つの連続解錠操作間または二つの連続起動操作間の平均時間を提供することを含む。
【００２０】
リソース保存実行の観点から、携帯電話の解錠起動モード時の解錠操作の後に選択された画像が引き続く施錠起動モードで表示される画像であることを含む。
【００２１】
携帯電話に格納された画像表示の簡単なカウントを可能にするために、各カウンタが携帯電話に設けられることと各カウンタ全体がサーバに設けられることの両方が提供され、その際、各画像に対応付けられるカウンタが、画像が表示されると、１つ増分され、カウンタの値が一つのカウンタ値として、携帯電話からサーバへ送信され、カウンタ全体が画像毎に携帯電話からサーバへ送信されるカウンタ値の総値として定義付けられ、使用可能となることを含む。
【００２２】
これに代わるものとして、各々の選択された画像が携帯電話に表示された後に表示済みとして削除されるかまたはタグ付けされ、この状況を示すメッセージが携帯電話によってサーバへ送信され、サーバが画像毎に個別に着信したメッセージの数をカウントし、このように個別に設定された総カウント値を画像毎に提供することにて、具体的には、表示済みとして既にタグ付けされた画像のこれ以降のディスプレイが省略されることを含む。
【００２３】
好ましくは、画像を特定エリアの個人に対して利用可能にするために、場所情報の個々のアイテムをＧＰＳ座標系の２次元の幾何学的表面エリアの形態の画像ごとに表示し、携帯電話がその表面エリア内で位置付けられた場合、画像を選択しおよび／またはディスプレイすることを可能にすることを含む。
【００２４】
各ビューワ（目視する人）が実際に画像を目視している時間長さを判断するために、ビューワの写真、具体的には、彼または彼女の顔をカメラで撮影して、画像が施錠起動モードでディスプレイされている間、ビューワがディスプレイを目視している時間間隔が設定されることを含む。
【００２５】
ユーザによって画像が目視される所与の連続的な時間間隔を確保するために、目視者（ビューワ）がディスプレイを中断せずに目視した決定された時間間隔が、所定の最小時間間隔、具体的には、１秒より長い場合のみに限って、画像は、表示済みとみなされることを含む。
【００２６】
ユーザが画像を目視した総時間周期を確保するために、ユーザが同じ画像を目視した総時間間隔が加算され、時間間隔が合計として設定され、画像は、ビューワがディスプレイを目視した全体としての設定時間間隔が、多少の中断はあるにせよ、具体的には、２０〜３０秒の所定の他の最小時間間隔より長い場合のみに限って、表示済みとみなされることを含む。
【００２７】
個々の画像が複数のビューワによって目視されている時間長さを判断するために、ビューワが画像を目視した各々の決定された時間周期または時間間隔が、各々ディスプレイされた画像に対応付けられ、恐らくは、サーバに送信されることにて、すべてのユーザが画像を目視した総目視時間は、サーバに送信された時間周期または時間間隔の合計としてサーバによって設定され、各々が、具体的には、サーバが各総目視時間を画像毎に個別に提供することによって、画像に対応付けられることを含む。
【００２８】
ユーザによる画像のスイッチオフが早急すぎることを回避するために、選択された画像が解錠操作が実行された後の所与のディスプレイ時間にわたってディスプレイされ、このディスプレイ時間の後に再び非表示とされることを含む。
【００２９】
以下、いくつかの変形例を有する本発明の実践的な例示的な実施形態を本発明の図面を参照することによって以下に詳細に説明する。
【図面の簡単な説明】
【００３０】
【図１】中央サーバを含むネットワークおよび携帯電話を示す図である。
【図２】携帯電話の解錠起動モードへの移行および後続の施錠までの非起動モード時の携帯電話のモードを概略的に示す図である。
【図３】サーバ内に存在するデータベースのコンテンツを概略的に示す図である。
【図４】携帯電話内に位置付けられたデータ格納リストのコンテンツを概略的に示す図である。
【図５】中央サーバを含むネットワークおよびカメラ付きの携帯電話を示す図である。
【発明を実施するための形態】
【００３１】
図１において、中央サーバ１と携帯電話２の間でデータ送信を行うためのシステムの一般的な構造が示されている。携帯電話２は、画像３をディスプレイするためのディスプレイ４を有している。
【００３２】
サーバ１は、ネットワーク１０を介して、携帯電話２と無線データ通信を行う通信局９に接続されている。サーバ１はデータベース７を有しており、携帯電話２はデータ格納リスト８を有している。
【００３３】
サーバ１のデータベース７には、例えば、複数のユーザに送信される宣伝目的のためのいくつかの画像３が格納されている。データベース７において、各画像３は各々、各画像３が携帯電話２の一つに既に何回表示されたかを示すカウント値に対応付けられている。本発明の例示的な実施形態において、カウント値を決定するために、各画像３に対応付けられた各カウンタ６が使用され、カウンタ６は画像３毎にサーバ１と通信を行う携帯電話２の一つに画像が全体で何回表示されたかまたはディスプレイされたかを示す。
【００３４】
データベース７に格納された画像３は、セルラーネットワークを介して、ユーザの個々の携帯電話２へサーバによって提供される。本明細書において、サーバ１は、データベース７からいくつかの画像３を選択し、これらの画像３を携帯電話２へ送信する。
【００３５】
本発明の例示的な実施形態において、画像３には、データベース７に格納されかつ各画像３に対応付けられる更なる位置情報１１が更に設けられる。位置情報は、例えば、座標形態で各画像３の地理的な場所を示す。所定の時間間隔を置いて、各携帯電話２は各々それ自体の場所を設定しこの場所をサーバ１へ送信する。携帯電話２の各場所に応じて、サーバ１は画像３を選択する。各対応付けられた位置情報１１は携帯電話２の設定された場所周りの所定の環境内に位置付けられる。本発明の例示的な実施形態において、携帯電話２の各設定された場所周りの周囲長さ１００ｍ以内に位置している場所１１に対応付けられた画像３が使用される。或いは、携帯電話２の場所周りの周囲長さは、画像が各々対応付けられた場所１１が各周囲長さ以内に位置しているいくつかの量の画像３が設定されるまで、増減しうる。このような量の画像３を設定することができない場合、対応付けられた場所情報１１が携帯電話の場所に地理的に直接近接して位置していない他の画像３を携帯電話２に送信することも可能である。上述の手順によれば、画像３は円形の表面エリアに対応付けられる。しかしながら、この表面エリアは円形とは限らない。
【００３６】
或いは、位置情報１１は２次元のＧＰＳ座標系における一以上の幾何学的表面エリアから構成されうることにて、その後、幾何学的図形内の地理的座標の全てが画像３に対応付けられる。携帯電話２が画像３に対応付けられた幾何学的表面エリア内に突き止められた場合、画像３は送信され、および／または、施錠起動モードで携帯電話２のディスプレイ４上に表示される。
【００３７】
この好ましい実施例において、施錠起動モードでディスプレイするための画像３の選択は、画像３毎に、一以上の幾何学的図形の形態の表面エリアが２次元の座標系において定義付けられることで行われる。一以上の表面エリアを有する画像３の表示は、携帯電話２の設定された場所が各表面エリアの表面エリア内に位置している場合にのみに実行される。
【００３８】
或いは、携帯電話２に送信される画像３の一部が携帯電話２の各位置に比較してその場所情報１１に基づいて設定され、その他の画像３が携帯電話２の各場所とは無関係に選択され設定されることも提供されうる。
【００３９】
このようにして選択されおよび／または設定された画像３は携帯電話２へサーバ１によって送信され、携帯電話２内に存在しているローカルデータ格納リスト８（図４）内に格納される。
【００４０】
画像３毎に、携帯電話２によって決定されうる各カウンタ値が提供され、カウンタ値は、各画像３が携帯電話２上に既にディスプレイされた回数を示す。本発明の例示的な実施形態では、ローカルデータ格納リスト８において、格納された画像３毎に、各カウンタ値が格納済みであるとして存在する各ローカルカウンタ５が設けられる。
【００４１】
図２に示したように、携帯電話２は、３つの基本的な操作モード：非起動操作モード３０、施錠起動モード３１、および解錠起動モード３２を有している。携帯電話２がオンの時、携帯電話は一般に解錠起動モード３２にある。この解錠起動モード３２において、携帯電話２は任意のユーザ入力を受信し、具体的には、様々なアプリケーションの検索や選択などの他者との通信を設定したり、ＳＭＳ（ショート・メッセージ・サービス）などを送信したりすることが可能である。携帯電話２において、例えば、いくつかのキーの組合せを入力して、施錠操作２３を実行することによって携帯電話２を施錠することが可能である。更に、所定の時間周期にわたってユーザアクティビティが全く実行されなかった場合、携帯電話２が自動施錠されて、施錠モード３０に入ることも可能である。携帯電話２の施錠２３や携帯電話２の操作アクティビティの省略によって携帯電話２を非起動モード３０にし、この場合、携帯電話２のディスプレイ４がオフとなり、非起動化または暗くなり、基本的に、起動操作２１に変わるまでユーザ入力は受信されない。
【００４２】
起動操作２１が実行されると、携帯電話２は非起動モード３０から施錠起動モード３１へ移行する。起動操作２１とは、例えば、ボタンを押下げるかまたはタッチスクリーン４をタッチすることである。携帯電話２が起動操作２１によって施錠起動モード３１に移行すると、選択された画像３が携帯電話のディスプレイ４に表示される。これらの選択された画像３は携帯電話２の施錠起動モード３１の全体を通してディスプレイされる。施錠起動モード３１の間、各ユーザは携帯電話２を施錠起動モード３１から解錠起動モード３２へ移行する解錠操作２２へ進行する。施錠起動モード３１において、携帯電話２は専ら解錠操作２２のみを受信し、携帯電話２が各々、施錠起動モード３１に留まることによって他の操作が無視される。施錠起動モード３１時に、解錠操作２２が全く実行されない場合、所定時間の満了時、またはユーザの非起動の場合、携帯電話２は非起動２４を介して非起動モード３０へ戻る。解錠操作２２が実行されると、携帯電話２は解錠起動モード３２に入り、ディスプレイ４に表示された画像３は非表示となる。或いは、この場合、各選択された画像３は、解錠操作２２後に、所定の時間範囲または所定の時間間隔にわたってずっと表示され、解錠操作２２後の時間間隔の満了時に限って非表示とされる。
【００４３】
本発明の他の実施形態において、選択された画像３は、解錠起動モード３２で表示された携帯電話２のディスプレイ４の背景が徐々に前景に入ってくるフェーディング方法によって所定の時間周期の間、非表示とされる。
【００４４】
本発明のまた他の実施形態において、選択された画像３は、解錠操作２２が実行されると、所定のディスプレイ時間を経た後にのみ挿入され、ディスプレイ時間が満了すれば、再び非表示となる。解錠起動モードで表示される携帯電話２のディスプレイ４の背景は、前景に戻ってくる。画像がフェーディングプロセスとして前景へ連続して移動する場合は特に有利である。
【００４５】
個々の画像３が携帯電話２へ送信された時、携帯電話２は各々、次の施錠起動モード３１時にディスプレイされる一つの画像３を選択する。ディスプレイされる画像３の選択はサーバ１によって送信された最新の画像３から行われ、様々な方法で実行することができる。
【００４６】
携帯電話２の次の施錠起動モード３１時に表示される各画像３の選択は、本発明の例示的な実施例では、直前の解錠起動モード時に常に行われることにて、各画像３は解錠操作２２の直後に直接選択され、以下同様に使用可能である。
【００４７】
サーバ１によって送信された画像３から選択する一つの可能性はランダムに画像３を選択することにある。
【００４８】
他の可能性としては、各画像と共に送信された場所情報１１が携帯電話２により現在設定されている携帯電話２自体の場所と比較することである。携帯電話２に格納された画像３から選択される画像は、携帯電話の設定された場所に最も近接した対応する場所情報１１を有している画像である。
【００４９】
或いは、ディスプレイされる画像３の選択はランダムな基準に基づいて行うこともできることにて、画像３の選択は、その場所情報１１が携帯電話２の設定された場所に近ければ近いほど選択される確率が高くなる。
【００５０】
提示された選択メカニズムの全てにおいて、画像３が過剰に高い頻度でディスプレイされること、画像３がサーバ１から各携帯電話に送信される時、個々の画像３の最大ディスプレイ頻度を指定する最大カウント値が画像３毎に送信されるのを回避できる可能性がある。ディスプレイのために選択された個々の画像３は、各画像３に対する各最大カウント値によって定義されたものと同じくらい多くの回数にわたって既にディスプレイされていたかどうかが検証される。この場合、各画像３のディスプレイが省略され、別の画像３が表示するために選択される。別の画像３は、例えば、ランダムな方法の反復検索によって設定することができるか、または携帯電話２の場所に最も近い場所情報１１を有する画像３は選択せずに、２番目、３番目、４番目に近い座標を有する画像を選択することにより設定される。
【００５１】
サーバ１によって携帯電話２へ送信された画像３毎に、各画像３が携帯電話２へ表示された回数を示すカウント値が設定される。本発明の例示的な実施形態では、このために、施錠起動モードにおいて画像３がディスプレイされたときに１つ増分されるカウンタ５が使用される。カウンタ値が増分されると、この影響についてのメッセージが携帯電話２によってサーバ１へ送信される。画像３毎に、サーバ１のデータベース７（図３）において、携帯電話によってサーバ１に対して設定されたカウンタ値５の合計に対応している各々の個別の総カウンタ値６が使用可能である。
【００５２】
携帯電話２に格納された画像３に対してカウント値を設定するための一つの可能性は、データベース７内で一画像３の記録ごとに各画像３に対応付けられたカウンタ６を実施することである。
【００５３】
或いは、各画像３が携帯電話２に表示した後に削除するかまたは表示済みとしてタグ付し、この位置を指定するメッセージを携帯電話２によってサーバ１へ送信するという可能性もある。この場合、携帯電話２は各画像ファイルの存在をチェックすることによって各カウント値を把握することができ、携帯電話２のメモリ内の各画像３または各タグが使用可能であれば、その場合は、単純に値０または１を有する関連するカウント値を分配する。
【００５４】
各メッセージが携帯電話２によってサーバ１に送信された時、カウンタ６が各々の総カウント値に有利に提供されることによって各画像３に対する総カウント値が各々増分される。
【００５５】
本発明の例示的な実施形態において、画像３は、施錠起動モード３１において表示された場合、および、施錠起動モード３１が所定の最小時間間隔である１秒間よりも長く続いた場合のみに限って、「表示済み」とみなされる。よって、ユーザが表示された画像３を無視し、解錠操作を早急に実行することが回避されうる。
【００５６】
更に、本発明の例示的な実施形態において、ユーザが矢継ぎ早に複数の様々な画像３を目視することが回避される。これは、携帯電話２のディスプレイ４上の画像３が最後に表示されてから最小時間間隔１０分が経過した場合のみに限って、画像３が選択され表示され、または、「表示済み」とみなされることにて達成される。
【００５７】
施錠起動モード３１において、ユーザによって実行される操作アクティビティの回数が設定され、各画像３に対応付けられる。ユーザアクティビティの回数は個別のデータフィールド１２として各画像３の記録に対応付けられ、携帯電話２のデータ格納リスト８内の個別のメモリ内に格納され、画像３に関する他の情報、特に、表示回数と共にサーバ１へ送信される。サーバ１は、全ての携帯電話２のユーザの画像のディスプレイ中に実行されたユーザクティビティの総回数を設定し、それ以降の使用にむけて使用可能に保つ。この場合、サーバ１のデータベース７は、画像３のディスプレイ中に実行されるユーザアクティビティを合計するためのデータフィールド１３を各々有している。従って、サーバ１のデータベース７に格納された画像３毎に、画像３のディスプレイ中に実行された全てのユーザアクティビティの総回数が各々、使用可能となる。
【００５８】
更に、施錠起動モード３１時に各画像３がディスプレイされる時間間隔も設定される。この時間間隔はディスプレイされる画像３毎に個別に設定され、各々、携帯電話２によってサーバ１へ送信される。画像３毎に、携帯電話２のデータ格納リスト８内の明確なデータフィールド１４は携帯電話２上で生成され、そこへ画像３の各ディスプレイコンテンツが格納される。サーバ１は各画像３のディスプレイの総時間間隔を個別に計算し、全ての画像３に対して個別に使用可能なディスプレイの時間間隔を保つことにて、画像３毎に、明確なデータフィールド１５がサーバ１のデータベース７内で作成される。
【００５９】
更に、携帯電話２の連続解錠操作間または連続起動操作間の時間間隔が設定され、解錠または起動が実行された時、この時間間隔は各々、各サーバ１へ送信される。サーバ１は二つの連続解錠操作間または二つの連続起動操作間の各々の平均時間を使用可能に保つ。
【００６０】
図５において、本発明の方法の更なる他の実施形態が概略的に示されている。この方法は既に提示された方法に対応しており、更なる特性や特徴を以下に説明する。
【００６１】
この携帯電話２はユーザがディスプレイ４を見ているかどうかを認識することができる視界（ビジョン）認識装置１６を有している。この視界認識装置１６は、例えば、米国特許出願ＵＳ２０１１／００７４８２２  Ａ１（ヤオ・ツャン・チャン）に開示され、カメラとカメラの下流に接続された処理装置とを有し、カメラによって撮影された各画像から、顔、特に、目を認識し、その目視方向を識別する。具体的には、視界認識装置１６はカメラの画像内に表示された人の目が携帯電話２へ向かって方向付けられているかどうかを認識することができる。この場合、視界認識装置１６は関連する目視信号を伝送する。
【００６２】
視界認識装置１６を使用することによって各ユーザがディスプレイ４へ表示された画像３を目視している時間を把握することも可能である。本発明の上記の例示的な実施例とは対照的に、画像３は、施錠起動モード３１において表示された場合と、視界認識装置１６が所定の最小時間間隔である１秒以上にわたって各画像３を目視したことを把握した場合と、に限って、「表示済み」とみなされる。各ユーザが画像３を目視した各時間間隔が設定され、この時間間隔が画像に対応付けられる。
【００６３】
これに代わってまたはこれに加えて、表示された画像３が全体的に目視された場合、即ち、ユーザが蓄積された時間の３０秒間にわたって複数回目視した場合のみに限って、画像３が目視されたとしてみなされ、かつ、選択され表示されたとしてタグ付けされる。
【００６４】
原則として、タイミングユニット（図示せず）は、視界認識装置１６の下流に対応付けられまたは接続され、ユーザが各画像を目視した時間、視界認識装置１６の目視信号がアクティブだった時間長さを判断する。タイミングユニットとしては、例えば、タイマーまたはカウンタを使用することができ、その値は、目視信号が適用された時点で、初期値から、増分される。これによって、上述した時間間隔と時間周期の両方を設定することができる。
【００６５】
以下に大まかに目視時間として指定される、設定された時間間隔と設定された時間周期の両方によって、以下の考察が成り立つ。画像３毎に設定される目視時間は各画像３に対応付けられる。サーバ１に接続された全ての携帯電話２のユーザによって個々の画像３が全体的に目視された時間長さを判断するために、個々の目視時間間隔または時間周期が携帯電話２に格納され、画像３に対応付けられ、各画像３の識別子と共にサーバ１へ送信される。同じ画像３および同じ識別子へ送信され対応付けられたすべての時間周期は、サーバ１によって加算され、総目視時間として各画像３の識別子に対応付けられる。サーバ１は、各々の総目視時間を画像３毎に個別に後からアクセスするために使用可能に保つ。
【図１】
2015515163.tif 000003
【図２】
2015515163.tif 000004
【図３】
2015515163.tif 000005
【図４】
2015515163.tif 000006
【図５】
2015515163.tif 000007
【国際調査報告】
2015515163.tif 000008
2015515163.tif 000009
2015515163.tif 000010
2015515163.tif 000011
2015515163.tif 000012
2015515163.tif 000013
2015515163.tif 000014
2015515163.tif 000015
2015515163.tif 000016
2015515163.tif 000017